(57)【要約】【課題】室内や屋外や車内及び介護用として場所を選ばずに取り付け、取り外しを自在にし、ロールペーパーの交換が簡単で、しかもロールペーパーの切断が容易で、安全性の高いロールペーパーホルダーを提供する。【解決手段】取り付け自在なロールペーパーホルダーの表面は柔軟材で作られ、Ｕ字型ケーシング１と取り付け用巻き付け帯２で構成され、袋状のＵ字型ケーシング１には両側面に３が取り付けられ、Ｕ字型ケーシングの芯材として弾力性のある樹脂板材を使用し、さらにＵ字型ケーシングにはペーパーガイド５と切断用刃６およびロールペーパー押さえ蓋４が取り付けられ、取り付け用巻き付け帯は取り付け相手にまきつけて、Ｕ字型ケーシングの後ろ側の接合物と巻き付け帯の一端に取り付けた接合物２ａで固定され、この接合物によって取り付け、取り外しが簡単にできロールペーパーの落とし込みによって、ロールペーパーの交換が簡単にでき、しかもロールペーパーホルダーに体の接触や落下でもケガなどをすることが無く安全に使用することができる。【選択図】    図１
2006149748.tif 000002
【特許請求の範囲】
【請求項１】
取り付け自在なロールペーパーホルダーにおいて、ロールペーパーを投入する袋状のＵ字型ケーシングとＵ字型ケーシングを固定するための巻き付け帯は一対で構成され、前記Ｕ字型ケーシングの後ろ側と巻き付け帯の一端に取り付けられた接合物によって固定し、この接合物は簡単に取り外しや取り付けが可能で、ロールペーパーホルダーを簡単に移動でき、また巻き付け帯の一端にはコの字状にカットされた部分があり、また前記Ｕ字型ケーシングにはロールペーパーを切断する為の切断刃が取り付けられていることを特徴とする、取り付け自在なロールペーパーホルダー。
【請求項２】
請求項１記載の取り付け自在なロールペーパーホルダーにおいて、接合物としてマジックテープ（登録商標）、ボタン、ホックを使用して固定されていることを特徴とする、取り付け自在なロールペーパーホルダー。
【請求項３】
請求項１から請求項２記載の取り付け自在なロールペーパーホルダーにおいて、袋状のＵ字型ケーシングとＵ字型ケーシング固定用の巻き付け帯は柔軟材を使用し一対で構成され、また袋状のＵ字型ケーシングの内側には芯材として弾性板材を使用し、さらに弾性板材を挿入したとき両端が円弧になるのを防ぐために、弾性板材の両端に補強板材を取り付け固定用具材で固定し一体化したことを特徴とする、取り付け自在なロールペーパーホルダー。
【請求項４】
請求項３記載の取り付け自在なロールペーパーホルダーにおいて、柔軟材には布材、紙材、皮材、軟質系樹脂材を使用し、固定用具材にはハトメ、カシメ、ネジ、接着剤を使用し、また弾力性板補強材には金属材、木質材、樹脂材、皮材を使用し、また弾力性板材には樹脂板材、紙剤、木質材、皮材を使用したことを特徴とする、取り付け自在なロールペーパーホルダー。
【請求項５】
請求項１から請求項４記載の取り付け自在なロールペーパーホルダーにおいて、Ｕ字型ケーシングに取り付けられたロールペーパー押さえ蓋は表面の柔軟材と芯材とで構成され、ロールペーパー押さえ蓋とロールペーパーカット用切断刃が接触する部分にロールペーパー切断刃保護のための切断刃保護用材をロールペーパー押さえ蓋に取り付けたことを特徴とする、取り付け自在なロールペーパーホルダー。
【請求項６】
請求項５記載の取り付け自在なロールペーパーホルダーにおいてロールペーパー押さえ蓋の切断刃保護用材にはゴム材、木質材、樹脂材、紙材、皮材を使用し、芯材には金属材、木質材、樹脂板材、皮材、紙材を使用した事である。
【請求項７】
請求項１から請求項６記載の取り付け自在なロールペーパーホルダーにおいて、弾力性板材の一端に切断刃を取り付け、切断刃部分に凸凹の切断刃を取り付けたことを特徴とする、取り付け自在なロールペーパーホルダー。
【請求項８】
請求項１から請求項７記載の取り付け自在なロールペーパーホルダーにおいて、Ｕ字型ケーシングの内側にロールペーパーを取り出しやすくするため、Ｕ字型ケーシングの左右両側面に固定されたロールペーパーガイドとロールペーパーの回転を滑らかにするための、滑りテープをＵ字型ケーシングの内側面に取り付けたことを特徴とする、取り付け自在なロールペーパーホルダー。
【請求項９】
請求項１から請求項８記載のロールペーパーの取り付け自在なロールペーパーホルダーにおいて、ロールペーパー交換の方法はロールペーパー押さえ蓋を引き上げてＵ字型ケーシングにロールペーパーを落とし込む、構成になっていることを特徴とする、取り付け自在なロールペーパーホルダー
【発明の詳細な説明】
【技術分野】
【０００１】
本発明は、ロールペーパーホルダーに係り、室内や屋外や車内及び介護用として、場所を限定することなく取り付けすることが、可能なロールペーパーホルダーに関する物である。
【背景技術】
【０００２】
従来、ロールペーパーホルダーには、移動不可能な壁面取り付け型が主流であり、図５に示す。（例えば特許文献１参照）
また移動式ロールペーパーホルダーもあり図６に示す。（例えば特許文献２参照）
【０００３】
以下、図５により上記従来の壁面取り付け型ロールペーパーホルダーについて説明すると、図においてコの字型ロールペーパーホルダーの１は壁面に取り付けられ固定されるような構造になっている。
【０００４】
一方、図６においては移動式ロールペーパーホルダーであるが、下部土台１０を台上に置く構造になっている。
【０００５】
【特許文献１】登録実用新案第３０２３２７７号公報
【特許文献２】特許公開２００３−８９４５５号公報
【発明の開示】
【発明が解決しようとする課題】
【０００６】
しかし、以上に述べた従来の従来のロールペーパーホルダーの取り付け方法では、トイレの中、台上に置くなど場所が限定されているため、場所を選ばずに取り付けるところまでに至っていないのが実状である。
【０００７】
本発明は室内や屋外や車内及び介護用として場所を選ばずに取り付けることを可能にすることにより、建物の限定された場所、トイレ、台上だけではなく外に持ち出すことも可能とし、使用頻度が高くなり、例えば建物の中においては各部屋にロールペーパーホルダーを持ち込む事も可能となり、屋外においては木の枝や家の廻りのフェンスに取り付けることも可能となり、車内取り付けも可能であり、病院においては介護用として入院患者の各ベッド廻りの手摺り柵や落下防護柵にロールペーパーホルダーを取り付ける事により歩行困難な人でも自由に使用することが可能になり、また壁に取り付ける場合、壁にハンガーを取り付けることによって、そのハンガーにロールペーパーホルダーを取り付けることが可能で、且つロールペーパーホルダー表面に柔軟材を使用することで老人や子供でも当たってもけがなどをすることがなく安全であり、また室外に持ち出すことが可能になるとトイレ以外の仕事場、レジャー、災害時、など多目的に使用することが出来る。
【０００８】
本発明は、上記の如き実状に対処し、室内や屋外や車内あるいは介護用として用いる事ができ、取り付け自在なロールペーパーホルダーを提供する事を目的とする。
【課題を解決するための手段】
【０００９】
本発明は、上記問題点を達成するために、先ず第１の解決手段として、  ロールペーパーを投入する袋状のＵ字型ケーシングとＵ字型ケーシングを固定するための巻き付け帯は一対で構成され、前記Ｕ字型ケーシングの後ろ側と巻き付け帯の一端に取り付けられた接合物によって固定し、この接合物は簡単に取り外しや取り付けが可能で、ロールペーパーホルダーを簡単に移動でき、また巻き付け帯の一端にはコの字状にカットされた部分があり、また前記Ｕ字型ケーシングにはロールペーパーを切断する為の切断刃が取り付けられている事である。
【００１０】
第2の解決手段として、取り付け自在なロールペーパーホルダーにおいて、接合物としてマジックテープ（登録商標）、ボタン、ホックを使用して固定する事である。
【００１１】
第３の解決手段として、取り付け自在なロールペーパーホルダーにおいて、袋状のＵ字型ケーシング表面とＵ字型ケーシング固定用の巻き付け帯は柔軟材を使用し一対で構成され、また袋状のＵ字型ケーシングの内側には芯材として弾性板材を使用し、さらに弾性板材を挿入したとき両端が円弧になるのを防ぐために、弾性板材の両端に補強板材を取り付け固定用具材で固定し一体化した事である。
【００１２】
第４の解決手段として取り付け自在なロールペーパーホルダーにおいて、柔軟材には布材、紙材、皮材、軟質系樹脂材を使用し、固定用具材にはハトメ、カシメ、ネジ、接着剤を使用し、また弾力性板補強材には金属材、木質材、樹脂材、皮材、紙材を使用し、また弾力性板材には樹脂板材、紙剤、木質材、皮材を使用した事である。
【００１３】
第５の解決手段として取り付け自在なロールペーパーホルダーにおいて、Ｕ字型ケーシングに取り付けられたロールペーパー押さえ蓋は表面の柔軟材と芯材とで構成され、ロールペーパー押さえ蓋とロールペーパーカット用切断刃が接触する部分にロールペーパー切断刃保護のための切断刃保護用材をロールペーパー押さえ蓋に取り付けた事である。
【００１４】
第６の解決手段として、取り付け自在なロールペーパーホルダーにおいて、ロールペーパー押さえ蓋の切断刃保護用材にはゴム材、木質材、樹脂材、紙材、皮材を使用し、芯材には金属材、木質材、樹脂板材、皮材、紙材を使用した事である。
【００１５】
第７の解決手段として、取り付け自在なロールペーパーホルダーにおいて、弾性板材の一端に切断刃を取り付け、切断刃部分に凸凹の切断刃を取り付けた事である。
【００１６】
第８の解決手段として、取り付け自在なロールペーパーホルダーにおいて、Ｕ字型ケーシングの内側にロールペーパーを取り出しやすくするため、Ｕ字型ケーシングの左右両側面に固定されたロールペーパーガイドとロールペーパーの回転を滑らかにするための、滑りテープをＵ字型ケーシングの内側面に取り付けた事である。
【００１７】
第９の解決手段として、取り付け自在なロールペーパーホルダーにおいて、ロールペーパー交換の方法はロールペーパー押さえ蓋を引き上げてＵ字型ケーシングにロールペーパーを落とし込む、構成になっている事である。
【００１８】
上記第１の課題解決手段による作用は、次の通りである。
即ち、取り付け自在なロールペーパーのホルダーはＵ字型ケーシングと巻き付け帯が一対で構成されて、巻き付け帯の一端に接合物が取り付けられ、且つ巻き付け帯の一端をコの字状にカットしたことにより、パイプベッドの手摺りなどに固定する場合、落下防護柵を利用し、ロールペーパーホルダーの後方への動きを止め、接合物で固定する事ができ、またロールペーパーを切断するための切断刃を取り付けたことでロールペーパーを容易に切断できる。
【００１９】
上記第２の解決手段による作用は、取り付け自在なロールペーパーホルダーにおいて、巻き付け帯の接合物として、取り付け、取り外し、移動が簡単にできるための、構成上最良の材料である。
【００２０】
第３の課題解決手段による作用は、取り付け自在なロールペーパーホルダーにおいて、袋状のＵ字型ケーシング表面とＵ字型ケーシング固定用の巻き付け帯は柔軟材であり、一対で構成される事で取り付け強度が増加し、さらに袋状のＵ字型ケーシングに弾性板材を挿入したとき、両端が円弧になるのを弾性板補強材で防ぐことによって、弾性板材の両端が真っ直ぐになりＵ字型ケーシングの形を整え、且つ弾性板材の強度を上げ弾性板材の張りを均一にし、袋状のＵ字型ケーシング表面の柔軟材と芯材である弾性板材とその補強材を固定用具剤で固定し、一体化することでＵ字型ケーシングの強度を保つことができる。
【００２１】
第４の課題解決手段による作用は、取り付け自在なロールペーパーホルダーにおいて、構成上最良の材料である。
【００２２】
第５の課題解決手段による作用は、Ｕ字型ケーシングにロールペーパー押さえ蓋を取り付けることによって、ロールペーパーをカットするときの補助的役割を果たし、且つロールペーパーのカット用切断刃保護用材をロールペーパー押さえ蓋の裏側に取り付けることで切断刃の破損をなくすことができ、また外観上ロールペーパーを隠すことができる。
【００２３】
第６の課題解決手段による作用は、取り付け自在なロールペーパーホルダーにおいて、ロールペーパー押さえ蓋の芯材として構成上最良の材料であり、また切断刃保護材として、構成上最良の材料である。
【００２４】
第７の課題解決手段による作用は、取り付け自在なロールペーパーホルダーにおいて、樹脂板材の一端にロールペーパー切断刃を取り付け、且つ凸凹の切断刃にすることによりロールペーパーのカットが容易にできる。
【００２５】
第８の課題解決手段による作用は、取り付け自在なロールペーパーホルダーにおいて、Ｕ字型ケーシングの内側にロールペーパーを取り出しやすくするため、Ｕ字型ケーシングの左右両側面に固定されたロールペーパーガイドがあり、その上面を通って手前に排出されるが、ロールペーパーをカットした後、次のペーパーを取り出すときロールペーパー押さえ蓋を上面に引き上げＵ字型ケーシングの中にある残りのロールペーパーを取り出すとき、手の指でつかみ上げる必要があり、この時ロールペーパーガイドにロールペーパーがぶら下がった状態で残っているため取り出しやすくなる。またＵ字型ケーシングの内側底面は柔軟材であるためにロールペーパーの回転が悪い、そこでＵ字型ケーシングの内側底面に滑りテープを取り付けることによってロールペーパーの回転が滑らかになる。      
【００２６】
第９の課題解決手段による作用は、ロールペーパーの交換において、ロールペーパー押さえ蓋を上面に引き上げた後、ロールペーパーをＵ字型ケーシングに落とし込む構成になっており、ロールペーパーの取り口をロールペーパーガイドの上面に来るように下方から廻し手前に引き出すことで簡単に操作ができる。
【発明の効果】
【００２７】
上述したように、本発明の取り付け自在なロールペーパーホルダーは取り付け、取り外しが簡単でどこへでも持ち運びが出来、しかもロールペーパーホルダーの表面は柔軟材であり安全で、ペーパーのカットや取り出しも簡単で、ロールペーパー交換が容易であることが最大の効果である。
【発明を実施するための最良の形態】
【００２８】
以下、本発明の実施の形態を図１〜図６にもとづいて説明する。        
図１は本発明に係るロールペーパーホルダーの斜視図であり、図１においてロールペーパーホルダーはＵ字型ケーシング１と固定用巻き付け帯２とは一対で構成され、またＵ字型ケーシングは左右両側面（左右対称）３、ロールペーパー押さえ蓋４、ロールペーパーガイド５、ロールペーパー切断刃６とで構成され、次にＵ字型ケーシング１、巻き付け帯２、左右側面（左右対称）３、ロールペーパー押さえ蓋４の表面は柔軟材１ａで出来ており、袋状のＵ字型ケーシング１には左右側面（左右対称）３を取り付けることによってＵ字型に整形され、さらに袋状のＵ字型ケーシング１には芯材として、弾性板材１ｂ（図４参照）が挿入されてロールペーパーの形にフィットし、柔軟材１ａと弾性板材１ｂと補強材１ｄ（図４参照）は固定用具材７で固定され、さらに左右側面３にはロールペーパーガイド５が取り付けられ固定されている。
【００２９】
図２は図１におけるＡ−Ａ断面図であり、この図はパイプベッド手摺り柵に取り付けた場合の一例図である。
【００３０】
図２において、取り付け部分は固定用巻き付け帯２の一端に取り付けられた接合物２ａとＵ字型ケーシング１の裏側に取り付けられている接合物１ｄで構成され、固定用巻き付け帯の一端にはコの字にカットされた部分がある。    
【００３１】
図３はＵ字型ケーシング１の拡大図を示し、Ｕ字型ケーシング１は袋状の柔軟材１ａに芯材として弾性板材１ｂを挿入して強度を保持し、又Ｕ字型ケーシング１の内側に滑りテープ１ｃを取り付けてある。
【００３２】
図４は切断刃部の拡大図であり、弾性板材１ｂの一端先端部に切断刃６を取り付け、又弾性板材１ｂの裏側両端に補強材として１ｄを取り付けてある。
【００３３】
図４に示すようにロールペーパー押さえ蓋４は柔軟材１ａと芯材４ｂと切断刃保護用材４ｃとで構成されている。
【００３４】
本発明は以上のような構成を有しており、以下上記構成の動作を説明する。            
図２は図１におけるＡ−Ａ断面図を示し、この場合ベッド柵の手摺り８に取り付けた場合の１例であり、この時ベッド柵の手摺り８と後方への移動を防ぐために、ベッド落下防護柵９を利用して固定し、巻き付け帯２の先端部にあるコの字カット部を利用してベッド落下防護柵９を越えて巻き付け帯２の裏側に取り付けた接合物２ａとＵ字型ケーシングの裏側にある接合物１ｄとで固定する。
【００３５】
図２で示すようにロールペーパー押さえ蓋４を上に開けてロールペーパー１０を落とし込み、その巻き取り口をロールペーパーガイド５の上面を通り手前に引き出す。
ロールペーパー１０を使用する度に径は細くなるが、ロールペーパーガイド５によって、ロールペーパーガイド５より手前にロールペーパーが残り、手の指でつかみ取り出しやすくなる。
Ｕ字型ケーシング１の内側に取り付けてある滑りテープ１ｃによってスムーズにロールペーパー１０が回転することができる。
【００３６】
図４に示すように取り出したロールペーパー１０は切断刃６とロールペーパー押さえ蓋４に取り付けられている切断刃保護用材４ｃの間を通り横下方向に引っ張ることでカットすることが出来、切断刃６には凸凹の溝がついている。
次に、再度ロールペーパーを使用する場合、ロールペーパー押さえ蓋４を開けてロールペーパーガイド５から手前のロールペーパーを必要分引き出して横下方向に引っ張ってカットする。
【００３７】
以上のようにして本実施形態によれば、場所を選ばずに取り付けることができ、ロールペーパーのカットも容易で、ロールペーパーの交換も簡単で、子供や老人でも使用することができ、特に介護用として使用しても安全性に優れたロールペーパーホルダーとして好適である。
【図面の簡単な説明】
【００３８】
【図１】本発明の実施形態を示すロールペーパーホルダーの概観斜視図である。
【図２】Ａ−Ａ断面及びパイプベッド柵取り付け使用例断面図である。
【図３】ケーシング拡大図である。
【図４】切断刃部分の拡大図である。
【図５】従来のロールペーパーホルダーの壁面取り付け型の概要図である。
【図６】従来のロールペーパーホルダーの移動式型の概要図である。
【符号の説明】
【００３９】
１：Ｕ字型ケーシング
１ａ：柔軟材
１ｂ：弾性板材
１ｃ：滑りテープ
１ｄ：弾性板補強材
２：巻き付け帯
２ａ：接合物
３：左右側面（左右対称）
４：ロールペーパー押さえ蓋
４ｂ：ロールペーパー押さえ蓋用芯材
４ｃ：切断刃保護用材
５：ロールペーパーガイド
６：ロールペーパー切断刃
７：固定用具材 
８：ベッド手摺り 
９：ベッド落下防護柵
１０：ロールペーパー
【図１】
2006149748.tif 000003
【図２】
2006149748.tif 000004
【図３】
2006149748.tif 000005
【図４】
2006149748.tif 000006
【図５】
2006149748.tif 000007
【図６】
2006149748.tif 000008